【事件の表示】
　平成１０年特許願第３６１６３７号「皮膚化粧料」拒絶査定不服審判事件〔平成１２年　６月２７日出願公開、特開２０００−１７８１２５〕について、次のとおり審決する。
【結　論】
　本件審判の請求は、成り立たない。
【理　由】
１．手続の経緯
　本願は、平成１０年１２月１８日の出願であって、最初の拒絶理由通知に応答して平成１５年１０月３１日付けで手続補正がなされ、その後、最後の拒絶理由が通知され、それに応答してなされた平成１６年１１月１日付け手続補正は平成１６年１１月２９日付けで補正の却下の決定がなされるともに、平成１６年１１月２９日付けで拒絶査定がなされ、これに対し、平成１７年１月６日付けで拒絶査定不服審判が請求されるとともに、平成１７年２月４日付けで手続補正がなされたものである。
　
２．平成１７年２月４日付け手続補正についての補正却下の決定
［補正却下の決定の結論］
　　平成１７年２月４日付け手続補正（以下、「本件補正」という。）を却下する。
　
［理由］
（１）補正後の本願発明
　本件補正により、特許請求の範囲は、
　
補正前
　「【請求項１】　次の成分（Ａ）及び（Ｂ）：
（Ａ）（ａ1）一般式（３）又は（４）
【化１】
〔式中、Ｒ1は水素原子又はメチル基を示し、Ｒ4及びＲ5は同一又は異なって、炭素数１〜４のアルキル基又はアルケニル基を示し、Ｒ6は水素原子又は炭素数１〜４のアルキル基を示し、Ｙは-O-、-NH-、-CH2-又は-O-CH2CH(OH)-基を示し、Ｚは炭素数１〜４（だたしＹが-CH2-のときは炭素数０〜３）の直鎖又は分岐鎖のアルキレン基を示し、Ｘは酸の共役塩基、ハロゲン原子又は炭素数１〜４のアルキルサルフェート基を示す。〕
【化２】
〔式中、Ｒ7及びＲ8は同一又は異なって、水素原子又はメチル基を示し、Ｒ9及びＲ10は同一又は異なって、水素原子又は炭素数１〜４のアルキル基を示し、Ｘは前記と同じ意味を示す。〕
で表わされるカチオン性基含有ビニル単量体、
（ａ2）一般式（１）又は（２）
【化３】
〔式中、Ｒ1は前記と同じ意味を示し、Ｒ2及びＲ3は同一又は異なって、水素原子又は炭素数１〜４の直鎖もしくは分岐鎖のアルキル基もしくはアルケニル基を示すか、あるいはＲ2とＲ3が一緒になって-(CH2)n-（ｎは３〜６の整数）又は-(CH2)2O-(CH2)2-を示し、隣接する窒素原子を含む環を形成する。〕
【化４】
〔式中、Ｒ1は前記と同じ意味を示し、Ａ1は-(CH2)m-（ｍは２〜５の整数）を示す。〕
で表わされるアミド基含有ビニル単量体、及び
（ａ3）多価アルコールのジビニル化合物又はポリアリル化合物、
を必須構成単量体とし、ラジカル重合することにより得られるカチオン性基含有共重合体、
（Ｂ）バーチエキストラクト、トウガラシチンキ、コウキ抽出液、スフィンゴシン誘導体、セラミド類、グアニジン誘導体及び塩基性アミノ酸から選ばれる水溶性薬理成分、
を含有する皮膚化粧料。
　　【請求項２】　成分（Ａ）が、その０．５重量％ハイドロゲルの、２５℃における、シェアレート１sec-1での粘度η1、シェアレート１０sec-1での粘度η2が、０．３≦η1≦２０（Pa・sec）、０．０１≦η2≦５（Pa・sec）、かつη1＞η2である請求項１記載の皮膚化粧料。
　　【請求項３】　成分（Ａ）が、その０．５重量％ハイドロゲルの、２５℃における、ひずみ周波数６．２８rad/sec 、ひずみ１％での複素弾性率ε1 、損失正接tan δ1、ひずみ５００％での複素弾性率ε2、損失正接tan δ2が、１≦ε1≦３００（Ｎ／ｍ2）、tan δ1≦２、かつ、０．０１≦ε2≦３０（Ｎ／ｍ2）、tan δ2≧１である請求項１又は２記載の皮膚化粧料。
　　【請求項４】　成分（Ｂ）が塩基性アミノ酸である請求項１〜３のいずれか１項記載の皮膚化粧料。」から、
　
補正後
　「【請求項１】　次の成分（Ａ）及び（Ｂ）：
（Ａ）（ａ1）一般式（３）又は（４）
【化１】
〔式中、Ｒ1は水素原子又はメチル基を示し、Ｒ4及びＲ5は同一又は異なって、炭素数１〜４のアルキル基又はアルケニル基を示し、Ｒ6は炭素数１〜４のアルキル基を示し、Ｙは-O-、-NH-、-CH2-又は-O-CH2CH(OH)-基を示し、Ｚは炭素数１〜４（ただしＹが-CH2-のときは炭素数０〜３）の直鎖又は分岐鎖のアルキレン基を示し、Ｘは酸の共役塩基、ハロゲン原子又は炭素数１〜４のアルキルサルフェート基を示す。〕
【化２】
〔式中、Ｒ7及びＲ8は同一又は異なって、水素原子又はメチル基を示し、Ｒ9及びＲ10は同一又は異なって、炭素数１〜４のアルキル基を示し、Ｘは前記と同じ意味を示す。〕
で表わされるカチオン性基含有ビニル単量体、
（ａ2）一般式（１）又は（２）
【化３】
〔式中、Ｒ1は前記と同じ意味を示し、Ｒ2及びＲ3は同一又は異なって、水素原子又は炭素数１〜４の直鎖もしくは分岐鎖のアルキル基もしくはアルケニル基を示すか、あるいはＲ2とＲ3が一緒になって-(CH2)n-（ｎは３〜６の整数）又は-(CH2)2O-(CH2)2-を示し、隣接する窒素原子を含む環を形成する。〕
【化４】
〔式中、Ｒ1は前記と同じ意味を示し、Ａ1は-(CH2)m-（ｍは２〜５の整数）を示す。〕で表わされるアミド基含有ビニル単量体、及び
（ａ3）エチレングリコールジ（メタ）アクリレート、ポリエチレングリコールジ（メタ）アクリレート及びペンタエリスリトールトリアリルエーテルから選ばれる架橋性ビニル単量体、
を必須構成単量体とし、ラジカル重合することにより得られる共重合体であって、その０．５重量％ハイドロゲルの、２５℃における、シェアレート１sec-1での粘度η1、シェアレート１０sec-1での粘度η2が、０．３≦η1≦２０（Pa・sec）、０．０１≦η2≦５（Pa・sec）、かつη1＞η2であるカチオン性基含有共重合体、
（Ｂ）バーチエキストラクト、トウガラシチンキ、コウキ抽出液、スフィンゴシン誘導体、セラミド類、グアニジン誘導体及び塩基性アミノ酸から選ばれる水溶性薬理成分、
を含有する皮膚化粧料。
　　【請求項２】　成分（Ａ）が、その０．５重量％ハイドロゲルの、２５℃における、ひずみ周波数６．２８rad/sec、ひずみ１％での複素弾性率ε1、損失正接tan δ1、ひずみ５００％での複素弾性率ε2、損失正接tan δ2が、１≦ε1≦３００（Ｎ／ｍ2）、tan δ1≦２、かつ、０．０１≦ε2≦３０（Ｎ／ｍ2）、tan δ2≧１である請求項１記載の皮膚化粧料。
　　【請求項３】　成分（Ｂ）が塩基性アミノ酸である請求項１又は２記載の皮膚化粧料。」
と補正された。
　
　上記補正は、少なくとも請求項１において、発明を特定するために必要な事項である成分（Ａ）の「カチオン性基含有共重合体」について、（イ）その必須構成単量体の（ａ3）の「多価アルコールのジビニル化合物又はポリアリル化合物」を「エチレングリコールジ（メタ）アクリレート、ポリエチレングリコールジ（メタ）アクリレート及びペンタエリスリトールトリアリルエーテルから選ばれる架橋性ビニル単量体」と特定し、（ロ）「その０．５重量％ハイドロゲルの、２５℃における、シェアレート１sec-1での粘度η1、シェアレート１０sec-1での粘度η2が、０．３≦η1≦２０（Pa・sec）、０．０１≦η2≦５（Pa・sec）、かつη1＞η2である」との限定を付加するものであって、平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例
　原査定の拒絶理由に引用された本願出願前の刊行物である、特表平７−５００５９４号公報（以下、引用例１という。）、特開平１０−４６１４３号公報（以下、「引用例２」という。）、特開平１０−１７４５８号公報（以下、「引用例３」という。）、特開平５−８５９２４号公報（以下、「引用例４」という。）、特開平８−９２０５４号公報（以下、「引用例５」という。）には、それぞれ次のような技術事項が記載されている。（なお、下線は当審で付したものである。）
　
　［引用例１］
　（1-i）「１．（ａ）
安全有効量の医薬活性剤
（ｂ）
式（Ａ）
ｌ
（Ｂ）
ｍ
（Ｃ）
ｎ
の高分子量架橋カチオン系ポリマー
式中（Ａ）はジアルキルアミノアルキルアクリレートモノマー、その四級アンモニウム
塩
（Ｂ）はジアルキルアミノアルキルメタクリレートモノマー、その四級アンモニウム
塩
（Ｃ）はアクリルアミド
上記ポリマーは架橋剤を含有する
を含む、
経皮膚で高い浸透性を有する局所医薬組成物
　２．
架橋剤が、メチレンビスアクリルアミド、エチレングリコールジ（メタ）アクリレート
より選択され
　３．医薬活性剤が、抗アクネ薬、非ステロイド系抗炎症薬、ステロイド系抗炎症薬、無日光日焼け色化剤、日焼け止め剤、創傷治癒剤、皮膚漂白又は淡色化剤、抗ヒスタミン薬、鎮咳薬、止痒薬、抗コリン作動薬、制吐及び抗悪心薬、食欲抑制薬、中枢刺激薬、抗不整脈薬、β−アドレナリン遮断薬、強心薬、降圧薬、利尿薬、血管拡張薬、血管収縮薬、抗潰傷薬、麻醉薬、抗うつ薬、トランキライザー、鎮静薬、抗精神病薬、抗微生物薬、抗新生物薬、抗マラリア薬、筋肉弛緩薬、鎮痙薬、止瀉薬、骨活性薬とそれらの混合物からなる群より選択される、請求項２に記載の組成物。
　４．
医薬活性剤が、
乳酸
　（1-ii）「
本発明の目的は薬物の皮膚浸透性を高める
　本発明のもう１つの目的は標的内部組織で薬物の治療レベルに達するために十分な皮膚浸透性増強を示すこのような組成物を提供することである。
　本発明のもう１つの目的は特に低ｐＨを要する組成物において
低皮膚刺激性のこのような組成物を提供する
　本発明の更にもう１つの目的は
良好な安定性及び良好な化粧品性を有するこのような組成物を提供する
　（1-iii）「水溶性ポリマー　本発明で有用なポリマーはあるカチオン系ポリマーである。・・・中略・・・。
　一般に、これらのポリマーはカチオン性で通常四級化された窒素部分を有する高分子量物質である。これらのポリマーは一般式：（Ａ）ｌ（Ｂ）ｍ（Ｃ）ｎで特徴付けることができ、ここで（Ａ）はジアルキルアミノアルキルアクリレートモノマー、その四級アンモニウム又は酸付加塩である；（Ｂ）はジアルキルアミノアルキルメタクリレートモノマー、その四級アンモニウム又は酸付加塩である；（Ｃ）は１つの炭素−炭素二重結合を有するモノマーである；ｌは０又はそれ以上の整数である；ｍは１又はそれ以上の整数である；ｎは０又はそれ以上の整数である。（Ｃ）モノマーは常用されるモノマーのいずれかから選択することができる。これらモノマーの非制限例としては、エチレン、プロピレン、ブチレン、イソブチレン、エイコセン、無水マレイン酸、アクリルアミド、メタクリルアミド、マレイン酸、アクロレイン、シクロヘキセン、エチルビニルエーテル及びメチルビニルエーテルがある。本発明のカチオン系ポリマーにおいて、（Ｃ）はアクリルアミドであることが好ましい。
　
高度に好ましい態様において、これらのポリマーは架橋剤も含み、これは最も典型的には１以上の不飽和官能基を含む物質である。
有用な架橋剤の具体例としては、メチレンビスアクリルアミド、エチレングリコールジ（メタ）アクリレート
なる群より選択される
　（1-iv）「
架橋剤が存在する場合、最終ポリマーで望まれる性質、例えば、粘稠化効果に応じて様々な量で用いることができる
これらカチオン系ポリマー中への架橋剤の配合が、
より効果的な粘稠化剤である物質を提供している
　（1-v）「１グループの態様において、これらのカチオン系ポリマーは、重合が終了するまで開始剤（通常レドックス又は熱）の存在下重量で約２０〜約６０％、通常約２５〜約４０％のモノマーを含有した溶液の重合を通常要するプロセスから得られる。温度は通常低く、例えば０〜９５℃で始める。重合は非水性液体、例えば鉱油等へのモノマーの水相の逆相分散を形成することにより行える。
　
ポリマーがアクリルアミドを含有する場合、
　モノマーＡが存在する場合、このプロセスで用いられるモノマーＡ：モノマーＢの比率、ひいては最終ポリマー中における基Ａ及びＢの比率はモルベースで好ましくは約８０：２０〜約２０：８０である。１クラスのプロセスにおいて、比率は約５：９５〜５０：５０、即ちカチオン系モノマーは主にメタクリレートである。これらのプロセスにおいて、比率は通常約２５：７５〜約５：９５の範囲内で達成される。
　もう１つのクラスのプロセスにおいて、比率Ａ：Ｂは約５０：５０〜約８５：１５、カチオン系モノマーは主にアクリレートである。好ましくは比率Ａ：Ｂは約６０：４０〜８５：１５、最も好ましくは約７５：２５〜８５：１５である。
　モノマーＡが存在せず、モノマーＢ：モノマーＣの比率が約３０：７０〜約７０：３０．好ましくは約４０：６０〜約６０：４０、最も好ましくは約４５：５５〜約５５：４５である場合が好ましい。
　重合はポリマーが水溶性であって、高分子量、通常約百万、例えば３０百万以内を有するような既知条件下で行うことが好ましい。極限粘度数は２５℃でモル塩化ナトリウム溶液で測定されたときに通常６以上、例えば８〜１４である。
　ここで
有用なカチオン系ポリマーはｌがゼロ、Ｂがメチル四級化ジメチルアミノエチルメタクリレート、Ｂ：Ｃの比率が約４５：５５〜約５５：４５及び任意の架橋剤がメチレンビスアクリルアミドである一般構造（Ａ）l（Ｂ）ｍ（Ｃ）nのポリマーである
ポリクォータニウム（Ｐｏｌｙｑｕａｔｅｒｎｉｕｍ）３２及び鉱油を有するこのポリマーは
サルケア（Ｓａｌｃａｒｅ）ＳＣ９２として市販されている
　一方、もう１つのグループの好ましい態様において、これらのカチオン系ポリマーはアクリルアミドモノマーを含まず、即ちｎがゼロである。これらのポリマーにおいて、（Ａ）及び（Ｂ）モノマー成分は前記のとおりである。これらアクリルアミド非含有ポリマーの特に好ましいグループは・・・・」（第８頁左下欄末行〜第９頁右上欄３行参照）
　（1-vi）「ここで
最も好ましい組成物はゲルタイプの組成物である
　（1-vii）「例　例Ｉ
　
抗アクネ組成物
　　　　　　成　分　　　　　　　　　　（％Ｖ／Ｗ）
　　精製水　　　　　　　　　　　　　　　５４．０
　　アルコールＳＤ　４０　　　　　　　　４０．０
　　ポリクォータニウム−３２及び鉱油１　　４．０
　　サリチル酸　　　　　　　　　　　　　　２．０
　１アライド・コロイズ社、サフォーク、ＶＡから市販されている
サルケアＳＣ９２
　水を適切なサイズの容器に加える。中速（３００ｒｐｍ）でミックスしながら、ポリクォータニウム−３２及び鉱油を水に加える。別に、アルコールを容器に入れてカバーする。３ブレードパドルプロペラのあるライトニン（・・）ミキサーを用いてサリチル酸をアルコールに加え、すべてのサリチル酸が溶解するまで低速（１００ｒｐｍ）でミックスする。アルコールを水相にゆっくりと加えて
ゲルを形成させる
　
その組成物は優れた保湿、皮膚軟化、すりこみ及び吸収特性と一緒に改善された皮膚感触及び残留物特性だけではなくサリチル酸活性剤の皮膚浸透性も示す
　
　［引用例２］
　（2-i）「【請求項１】　
カバノキのバーチ（学名：Betula platyphylla）植物抽出物を有効成分とする
　（2-ii）「【０００８】抗酸化剤として
配合する対象物としては化粧料が好ましく
各種化粧品、例えばクリーム、ローション、乳液、ヘアオイル、シャンプー、リンス、石鹸等に添加する
　
　［引用例３］
　（3-i）「【請求項１】　
次に示す何れかの植物のエッセンスからなる肌の不均一性改善剤。カバノキ科バーチ（Betula pendula Roth.）
　（3-ii）「【０００１】【発明の属する技術分野】
本発明は、肌の不均一改善剤及び老化等に起因するくすみを改善予防するのに好適な当該肌の不均一改善剤を含有する化粧料
　
　［引用例４］
　（4-i）「【請求項１】　
スフィンゴシン類を含有することを特徴とする皮膚外用剤
　（4-ii）「【０００１】【産業上の利用分野】本発明は皮膚外用剤に関し、さらに詳しくは表皮の角化を正常化する皮膚外用剤に関する。」（段落【０００１】）
　
　［引用例５］
　（5-i）「【請求項１】　次の一般式（１）又は（２）；
【化１】　・・構造式略・・
［式（１）中、・・・中略・・・意味を示す］で表される
グアニジン誘導体又はその酸付加塩を含有することを特徴とする皮膚化粧料
　（5-ii）「【０００１】本発明は、角質層への柔軟性付与効果に優れ、使用感も良好な皮膚化粧料に関する。」（段落【０００１】参照）
　
（３）対比、判断
　引用例１には、上記２．（２）に摘示した記載からみて、次の発明（以下「引用例１発明」という。）が記載されていると認められる。
　「（ａ）安全有効量の医薬活性剤；及び
　（ｂ）式（Ａ）ｌ（Ｂ）ｍ（Ｃ）ｎの高分子量架橋カチオン系ポリマー０．１〜１０．０％〔上記式中（Ａ）はジアルキルアミノアルキルアクリレートモノマー、その四級アンモニウム又は酸付加塩である；（Ｂ）はジアルキルアミノアルキルメタクリレートモノマー、その四級アンモニウム又は酸付加塩である；（Ｃ）はアクリルアミドである；１は０又はそれ以上の整数である；ｍはｌ又はそれ以上の整数である；ｎは０又はそれ以上の整数である；上記ポリマーは架橋剤を含有する〕
を含む、経皮膚で高い浸透性を有する局所医薬組成物。」
　
　そこで、本願補正発明と引用例１発明とを対比する。
　（イ）引用例１発明の「経皮膚で高い浸透性を有する局所医薬組成物」は、「良好な化粧品性を有する」（摘示（1-ii））とされ、「皮膚感触」や「皮膚浸透性」を示す（摘示（1-vii））ものであることから、本願補正発明の「皮膚化粧料」に相当する。
　（ロ）引用例１発明の「医薬活性剤」は、薬理成分を意味するから、本願補正発明の「水溶性薬理成分」に対応し、いずれも薬理成分で一致する。
　（ハ）引用例１発明の「高分子量架橋カチオン系ポリマー」は、本願補正発明の「カチオン性基含有共重合体」に相当する。
　（ニ）引用例１発明の（Ｃ）の「アクリルアミド」は、本願補正発明の一般式（１）でＲ1＝Ｈ，Ｒ2＝Ｈ，Ｒ3＝Ｈの場合の（ａ２）成分に相当する。
　（ホ）引用例１発明の（Ａ）及び／又は（Ｂ）の「ジアルキルアミノアルキルメタクリレートモノマーの四級アンモニウム塩」は、発明の詳細な説明に「メチル四級化ジメチルアミノエチルメタクリレート」が例示されている（摘示（1-v））ことを勘案し、本願補正発明の一般式（３）のＲ1＝Ｈ，Ｙ＝Ｏ，Ｚ＝アルキレン，Ｒ4及びＲ5はアルキル，Ｒ6はアルキル，Ｘは酸の共役塩基場合の（ａ1）成分に相当する。なお、引用例１発明では、「アルキル」基について格別の言及はないけれども、「メチル四級化ジメチルアミノエチルメタクリレート」のように「アルキル」として「メチル」や「エチル」の具体例があることからみて、本願補正発明で特定している「炭素数１〜４のアルキル基」と実質的な差異はないといえる（以下、アルキル（基）はそのような意味で使用する）。
　（ヘ）引用例１発明の「架橋剤」は、本願補正発明の「架橋性ビニル単量体」に相当する。
　
　してみると、両発明は、
　「次の成分（Ａ）及び（Ｂ）：
　（Ａ）（ａ1）ジアルキルアミノアルキルメタクリレートモノマーの四級アンモニウム塩であるカチオン性基含有ビニル単量体、
（ａ2）アクリルアミドであるアミド基含有ビニル単量体、及び
（ａ3）架橋性ビニル単量体、
を必須構成単量体としたカチオン性基含有共重合体、
　（Ｂ）薬理成分、
を含有する皮膚化粧料。」
で一致し、次の点で相違する。
＜相違点＞
　１．架橋性ビニル単量体に関し、本願補正発明では、「エチレングリコールジ（メタ）アクリレート、ポリエチレングリコールジ（メタ）アクリレート及びペンタエリスリトールトリアリルエーテルから選ばれる」と特定しているのに対し、引用例１発明ではそのように特定していない点
　２．カチオン性基含有共重合体に関し、本願補正発明では、「ラジカル重合することにより得られる共重合体であって」と特定しているのに対し、引用例１発明ではそのように特定していない点
　３．カチオン性基含有共重合体に関し、本願補正発明では、「その０．５重量％ハイドロゲルの、２５℃における、シェアレート１sec-1での粘度η1、シェアレート１０sec-1での粘度η2が、０．３≦η1≦２０（Pa・sec）、０．０１≦η2≦５（Pa・sec）、かつη1＞η2である」と特定しているのに対し、引用例１発明ではそのように特定していない点
　４．薬理成分に関し、本願補正発明では、「バーチエキストラクト、トウガラシチンキ、コウキ抽出液、スフィンゴシン誘導体、セラミド類、グアニジン誘導体及び塩基性アミノ酸から選ばれる水溶性薬理成分」と特定しているのに対し、引用例１発明ではそのように特定していない点
　
　そこで、これらの相違点について検討する。
　相違点１について
　引用例１発明では、「架橋剤」についての具体例として、「メチレンビスアクリルアミド、エチレングリコールジ（メタ）アクリレート、・・・・より選択される」（摘示（1-i），（1-iii））と説明されているから、本願補正発明で特定する「架橋性ビニル単量体」の「エチレングリコールジ（メタ）アクリレート」を選択し得ることは自明乃至は、当業者が容易に想い到る程度のことと言える。
　
　この点に関し、請求人は、引用例１発明で説明され実施例で用いられている「ポリクォータニウム（Ｐｏｌｙｑｕａｔｅｒｎｉｕｍ）３２」即ち「サルケア（Ｓａｌｃａｒｅ）ＳＣ９２」について、参考資料を提示して、「ポリクォータニウム（Ｐｏｌｙｑｕａｔｅｒｎｉｕｍ）３２」は（Ｂ）と（Ｃ）の２種のモノマーが共重合したものであり、架橋剤はこの共重合体を架橋して更に高分子化するためのものであり、引用例１の架橋カチオン系ポリマーは線状構造をとるものであり、本願発明の網目構造を形成する架橋性ビニル単量体と機能が異なること、及び、架橋剤がメチレンビスアクリルアミドであって異なることを主張する。
　しかし、引用例１には、「Ｂがメチル四級化ジメチルアミノエチルメタクリレート、Ｂ：Ｃの比率が約４５：５５〜約５５：４５及び任意の架橋剤がメチレンビスアクリルアミドである一般構造（Ａ）l（Ｂ）ｍ（Ｃ）nのポリマーである」との説明に続いて、その具体例として「ポリクォータニウム（Ｐｏｌｙｑｕａｔｅｒｎｉｕｍ）３２」（それを鉱油中に分散したものが「サルケア（Ｓａｌｃａｒｅ）ＳＣ９２」）を挙げていること、及び「ＳａｌｃａｒｅＳＣ９２」が「鉱油油にアクリルアミド−メタクリロイルオキシエチルトリメチルアンモニウムクロリド架橋コポリマー」を分散したものであることが知られている（例えば、特表平８−５０６８２４号公報第８頁やＷＯ９７／２８７８５号第１６頁（特表平１１−５０４０４３第２８頁）など参照）ことからみて、更に架橋によって架橋高分子が得られるのであって線状のものが得られることは技術常識に反する（例えば、化学大辞典編集委員会編、「化学大辞典２」、縮刷版第２２刷、昭和５３年９月１０日発行、第３２３頁の「架橋」の項を参照）ことから、前記請求人の主張は採用すべき理由がない。
　なお、メチレンビスアクリルアミドは本願補正発明で特定する架橋性ビニル単量体ではないけれども、架橋剤（架橋性ビニル単量体）としてメチレンビスアクリルアミドと並んでエチレングリコールジ（メタ）アクリレートが選択肢として明示されており（摘示（1-i））、エチレングリコールジ（メタ）アクリレート（本願補正発明で架橋性ビニル単量体として特定のもの）を選択して使用してみることは適宜なし得ることであり、その作用効果において格別異なるものとなると解すべき理由もないし、引用例１発明を実施例に限定して解すべき理由もない。
　
　相違点２について
　引用例１には、具体的にどのような手段で共重合させるかについて記載はないけれども、炭素−炭素の二重結合を有するモノマーを重合させるのに、ラジカル重合を用いることは極一般的なことであるから、そのようなラジカル重合を採用することは、当業者が容易になし得ることにすぎない。
　
　相違点３について
　本願補正発明で特定する０．５重量％ハイドロゲルの粘度について、発明の詳細な説明を検討しても、「粘度挙動がこの範囲内にあれば毛髪への塗布が容易であり、毛髪への残留感が得られ、上記のような良好な使用感を得ることができる。」（段落【０００６】）とされていて、その規定した範囲内の粘度を有する実施例が記載されてはいるけれども、比較例としては、カチオン性でない共重合体を用いた場合が示されているだけで、本願補正発明で特定する０．５重量％ハイドロゲルの粘度を逸脱した場合に劣った結果が得られるのか何らのデータも示されておらず、かかる粘度のパラメータにどの程度の臨界的意義があるのか不明である。
　一方、引用例１の実施した例Ｉには、ゲルを形成させた「その組成物は優れた保湿、皮膚軟化、すりこみ及び吸収特性と一緒に改善された皮膚感触及び残留物特性だけではなくサリチル酸活性剤の皮膚浸透性も示す。」（摘示（1-vii））とされていて、前記本願明細書段落【０００６】に記載された粘度挙動の範囲内で得られる作用効果とほぼ同じ作用効果が得られている。
　ところで、引用例１の例Ｉでは、「サルケア（Ｓａｌｃａｒｅ）ＳＣ９２」が用いられ、このものは架橋性ビニル単量体がメチレンビスアクリルアミドである点で本願補正発明で特定するカチオン性基含有共重合体と異なるものであるが、引用例１発明では、架橋剤（架橋性ビニル単量体）としてメチレンビスアクリルアミドと並んでエチレングリコールジ（メタ）アクリレートが選択肢として明示されており、本願補正発明で架橋性ビニル単量体として採用するエチレングリコールジ（メタ）アクリレートを選択して使用しても、その例Ｉと同程度の作用効果を奏するものと解すべきである。
　なお、本願補正発明で特定する０．５重量％ハイドロゲルの粘度（２５℃，シェアレート１sec-1で０．３〜２０Ｐａ・ｓ，シェアレート１０sec-1で０．０１〜５Ｐａ・ｓ）は、皮膚化粧料に用いる架橋ヒアルロン酸として、１％生理食塩水溶液における粘度（２０℃，ずり速度１sec-1）１０００〜６０００センチポアーズ（即ち１〜６０Ｐａ・ｓ）のものが好ましいこと（特開昭６１−１７２８０８号公報第２頁左上欄参照）や髪の手入れ用製剤に用いるアルキルグリコシド増粘剤（０．０５〜６重量％）としてゲル状含水混合物の粘度（２０ないし２５℃，ずり速度３０s-1）が４００ないし１０，０００ｍＰａ・ｓ（即ち０．４〜１０Ｐａ・ｓ）のものを用いること（特表平８−５０３７１９号公報請求項１〜３，１０，第８頁５〜１４行参照）が公知であることに鑑みれば、格別特異な値であるとは解し得ないし、ずり速度が大きいほど粘度が小さくなること（η1＞η2）は一般的なことにすぎない。
　よって、引用例１には本願補正発明で特定する０．５重量％ハイドロゲルの粘度について言及はないが、本願補正発明では該粘度による臨界的意義は示されておらず、それによって奏される作用効果も引用例１に記載されているものと軌を一にするものであることを勘案すると、本願補正発明で特定する０．５重量％ハイドロゲルの粘度は、所期の効果を奏しているものの粘度を単に測定して明らかにしたものにすぎず、当業者が容易に為し得る程度のことというべきである。
　
　相違点４について
　引用例１発明の「「経皮膚で高い浸透性を有する局所医薬組成物」」即ち皮膚化粧料（上記対比の（イ）を参照）において、「医薬活性剤」として何を用いるかは格別限定されているわけではないし、例えば乳酸の如く水溶性のものも使用対象とされていることから、皮膚化粧料として用いられる医薬活性剤を適宜採用し得ることは明らかと言えるところ、引用例２〜５には、バーチエキスやスフィンゴシン類、グアニジン誘導体を皮膚化粧料に用いられる薬理成分であることが示されていること（摘示（2-i），（2-ii），（3-i），（3-ii），（4-i），（4-ii），（5-i），（5-ii）を参照）から、そのようなバーチエキスやスフィンゴシン類、グアニジン誘導体などを用いることは、当業者が容易に想い到る程度のことといえる。
　
　そして、本願補正発明の作用効果も、引用例１〜５から当業者が予測できる範囲のものである。
　したがって、本願補正発明は、引用例１〜５に記載された発明に基づいて、当業者が容易に発明をすることができたものであり、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、同法第１５９条第１項で準用する同法第５３条第１項の規定により却下されるべきものである。
　
３．本願発明について
　平成１７年２月４日付けの手続補正は、上記のとおり却下されたので、本願の請求項１にかかる発明（以下、同項記載の発明を「本願発明」という。）は、平成１５年１０月３１日付け手続補正書の特許請求の範囲の請求項１に記載された事項により特定される、前記「２．（１）」に摘示したとおりのものである。
　
（１）引用例
　原査定の拒絶理由に引用される引用例、および、その記載事項は、前記「２．（２）」に記載したとおりである。
　
（２）対比、判断
　本願発明は、前記２．で検討した本願補正発明から、発明を特定するために必要な事項である成分（Ａ）の「カチオン性基含有共重合体」について、（イ）その必須構成単量体の（ａ3）の「エチレングリコールジ（メタ）アクリレート、ポリエチレングリコールジ（メタ）アクリレート及びペンタエリスリトールトリアリルエーテルから選ばれる架橋性ビニル単量体」を「多価アルコールのジビニル化合物又はポリアリル化合物」と拡張し、（ロ）「その０．５重量％ハイドロゲルの、２５℃における、シェアレート１sec-1での粘度η1、シェアレート１０sec-1での粘度η2が、０．３≦η1≦２０（Pa・sec）、０．０１≦η2≦５（Pa・sec）、かつη1＞η2である」との構成を省いたものである。
　
　そうすると、本願発明の構成要件を全て含み、さらに他の構成要件を付加したものに相当する本願補正発明が、前記「２．（３）」に記載したとおり、引用例１〜５に記載された発明に基づいて、当業者が容易に発明をすることができたものであるから、本願発明も、同様の理由により、引用例１〜５に記載された発明に基づいて、当業者が容易に発明をすることができたものである。
　
（３）むすび
　以上のとおり、本願請求項１に係る発明は、特許法第２９条第２項の規定により特許を受けることができない。
　それ故、他の請求項について論及するまでもなく、本願は拒絶すべきものである。
　よって、結論のとおり審決する。